(57)【特許請求の範囲】
【請求項１】
底部にステム挿通孔を設けたケース内に、基部外周にフランジ部を設けると共に中心部にステム挿通孔とこれに連なる噴射口を設けた筒状のステムカバーを垂直方向移動自在に保持し、また前記ステムカバーの基部を中央のステムカバー挿通孔に挿通し、垂直方向に揺動するよう押圧レバーを軸支し、復帰用のバネ等の作用によって元の位置に戻ったときに前記押圧レバーを押し下げるようにカム部材を設け、更に該カム部材を適宜の手段をもって前記押圧レバーから引き離すようになすと共に適宜の手段をもって元の位置への復帰速度を遅延させるようになしたエアゾール用遅延噴射装置。
【請求項２】
底部中央にステム挿通孔を設けると共にその下面にエアゾール容器の頂部のカール部への係合部を設け、更に垂直壁の内面における後記カム体の回動域に係止突起を設けたケースと、前記ケースに前後方向に挿通し、該ケースの前面に突出する端部に操作レバーを固着すると共に該ケース内における部分に扇形歯車及び後記カム体を押圧するカム板を固着し、更にバネをもって後記カム体が後記押圧レバー側に回転するよう附勢した回転軸と、前記回転軸に回転自在且つ該回転軸の軸方向に摺動自在に取着すると共にバネをもって前記カム板側に向けて移動するよう附勢した、前記カム板が元の位置に戻るときに当たる突部を有するカム体と、前記ケース内に設け、前記回転軸の回転速度を遅らせるための前記扇形歯車及びこれと噛合する減速歯車群とからなる減速機構と、前記ケース内のステム挿通孔の上側に配設して垂直方向に揺動するよう軸支した、中央にステムカバーの挿通孔を有する押圧レバーと、基部外周にフランジ部を設け、中心部にステム挿通孔とこれに連なる噴射口を設けた筒状のステムカバーとからなるエアゾール用遅延噴射装置。
【請求項３】
回転軸の戻り方向への回転中音を発するようにしてなる請求項２記載のエアゾール用遅延噴射装置。
【請求項４】
エアゾール容器の頂部の巻締部に被着するキャップ状の外ケースと、該外ケース内に設けた内ケースとをもって構成し、外ケースの天板にステムカバーの嵌挿孔を穿設すると共に内ケースの底板にステム挿通孔を穿設したケースと、前記外ケースに前後方向に挿通し、外ケースの前面に突出する端部に操作レバーを固着すると共に内ケース内における部分にカム体と扇形歯車を固着し、更にバネをもって前記カム体が後記押圧レバー側に回転するよう附勢した回転軸と、前記内ケース内に設け、前記回転軸の回転速度を遅らせるための前記扇形歯車及びこれと噛合する減速歯車群とからなる減速機構と、前記内ケース内のステム挿通孔の上側に配設して垂直方向に揺動するよう軸支した、中央にステムカバーの挿通孔を有する押圧レバーと、基部外周にフランジ部を設け、中心部にステム挿通孔とこれに連なる噴射口を設けた筒状のステムカバーとからなるエアゾール用遅延噴射装置。
【請求項５】
外ケースから摘みが突出するようにして引き抜き自在に設けたストッパーバーによって減速機構の作動を停止させ、回転軸の戻り方向への回転を阻止するようになした請求項４記載のエアゾール用遅延噴射装置。
【請求項６】
ストッパーバーの外ケースから突出する部分に、操作レバーが嵌入するクランク部を形成してなる請求項５記載のエアゾール用遅延噴射装置。
【請求項７】
回転軸の戻り方向への回転中音を発するようにしてなる請求項４、５又は６記載のエアゾール用遅延噴射装置。
【発明の詳細な説明】
【０００１】
【発明の属する技術分野】
本発明はエアゾール用遅延噴射装置に関するものである。
【０００２】
【従来の技術】
封入ガス圧によって内容物を噴射させる全量噴射型エアゾールは、ステムを押し込む等の噴射操作によって直ちに内容物が噴射し始める。
【０００３】
しかし、この内容物の噴射は一気に噴射するものではなく、徐々に周囲に拡散するようになされるが、退避に手間どると場合によっては、噴射した内容物を使用者が吸入あるいは曝露してしまうこともあり得る。
【０００４】
【発明が解決しようとする課題】
本発明は上記の点に鑑みなされたものであって、エアゾールの噴射操作後、一定の時間が経過した後に内容物が噴射するようにして、確実に使用者が噴射した内容物を吸入あるいは曝露しない場所まで退避することができる充分な時間を得ることができるようになしたエアゾール用遅延噴射装置を提供せんとするものである。
【０００５】
【課題を解決するための手段】
而して、本発明の要旨とするところは、底部にステム挿通孔を設けたケース内に、基部外周にフランジ部を設けると共に中心部にステム挿通孔とこれに連なる噴射口を設けた筒状のステムカバーを垂直方向移動自在に保持し、また前記ステムカバーの基部を中央のステムカバー挿通孔に挿通し、垂直方向に揺動するよう押圧レバーを軸支し、復帰用のバネ等の作用によって元の位置に戻ったときに前記押圧レバーを押し下げるようにカム部材を設け、更に該カム部材を適宜の手段をもって前記押圧レバーから引き離すようになすと共に適宜の手段をもって元の位置への復帰速度を遅延させるようになしたエアゾール用遅延噴射装置にある。
【０００６】
また、上記構成を更に具体的に次の如く構成してもよい。
即ち、底部中央にステム挿通孔を設けると共にその下面にエアゾール容器の頂部のカール部への係合部を設け、更に垂直壁の内面における後記カム体の回動域に係止突起を設けたケースと、前記ケースに前後方向に挿通し、該ケースの前面に突出する端部に操作レバーを固着すると共に該ケース内における部分に扇形歯車及び後記カム体を押圧するカム板を固着し、更にバネをもって後記カム体が後記押圧レバー側に回転するよう附勢した回転軸と、前記回転軸に回転自在且つ該回転軸の軸方向に摺動自在に取着すると共にバネをもって前記カム板側に向けて移動するよう附勢した、前記カム板が元の位置に戻るときに当たる突部を有するカム体と、前記ケース内に設け、前記回転軸の回転速度を遅らせるための前記扇形歯車及びこれと噛合する減速歯車群とからなる減速機構と、前記ケース内のステム挿通孔の上側に配設して垂直方向に揺動するよう軸支した、中央にステムカバーの挿通孔を有する押圧レバーと、基部外周にフランジ部を設け、中心部にステム挿通孔とこれに連なる噴射口を設けた筒状のステムカバーとをもって構成するものである。
【０００７】
また、回転軸の戻り方向への回転中音を発するようにしてもよい。このようにすれば、噴射操作が開始され、これが継続していることを使用者に知らせることができる。
【０００８】
また、更に次の如く構成してもよい。
即ち、エアゾール容器の頂部に被着するキャップ状の外ケースと、該外ケース内に設けた内ケースとをもって構成し、外ケースの天板にステムカバーの嵌挿孔を穿設すると共に内ケースの底板にステム挿通孔を穿設したケースと、前記外ケースに前後方向に挿通し、外ケースの前面に突出する端部に操作レバーを固着すると共に内ケース内における部分にカム体と扇形歯車を固着し、更にバネをもって前記カム体が後記押圧レバー側に回転するよう附勢した回転軸と、前記内ケース内に設け、前記回転軸の回転速度を遅らせるための前記扇形歯車及びこれと噛合する減速歯車群とからなる減速機構と、前記内ケースのステム挿通孔の上側に配設して垂直方向に揺動するよう軸支した、中央にステムカバーの挿通孔を有する押圧レバーと、基部外周にフランジ部を設け、中心部にステム挿通孔とこれに連なる噴射口を設けた筒状のステムカバーとをもって構成するものである。
【０００９】
また、外ケースから摘みが突出するようにして引き抜き自在に設けたストッパーバーによって減速機構の作動を停止させ、回転軸の戻り方向への回転を阻止するようにしてもよい。これにより噴射操作開始後これを中止させることができる。またストッパーバーの外ケースから突出する部分に、操作レバーが嵌入するクランク部を形成するようにしてもよい。このようにすれば、操作レバーを回して噴射操作を開始しない限りストッパーバーが抜け出さないようにすることができる。
【００１０】
また、前記回転軸の戻り方向への回転中音を発するようにしてもよい。
【００１１】
【発明の実施の形態】
以下、本発明の実施形態について、図面を参照しつつ説明する。
図１は本発明の第１実施形態のケース側壁を一部切欠して示した正面側から見た斜視図、図２は背面側から見た斜視図、図３は左側面図、図４はケースの裏蓋を開いた状態の背面側から見た斜視図、図５はケース側壁と押圧レバーを一部切欠して示した斜視図、図６はケース内部の拡大斜視図、図７は中央縦断正面図、図８はカバーの斜視図である。
【００１２】
図中、１はエアゾール容器である。また、該エアゾール容器１は胴部２の上端に巻締部３を介して目金４を固定し、この目金４にカール部５を設けている。また、６はマウンティングカップ７の中央から突出し、内容物を噴射するステムであり、内部のバルブ機構と接続している。
【００１３】
８は遅延噴射装置であり、以下のケース外の部材からなるものである。９は底板９ａの中央にステム挿通孔１０を設けると共に底板下面にエアゾール容器１のカール部５への係合部１１を設け、更に垂直壁の内面における後記カム体の回動域に係止突起１２を設けたケースである。
【００１４】
１３は基部外周にフランジ部１３ａを設け、中心部にステム嵌入孔１３ｂとこれに連なる噴射口１３ｃを設けた筒状のステムカバーである。
【００１５】
１４は前記ケース９内のステム挿通孔１０の上側に配設し、垂直方向に揺動自在に軸支した押圧レバーであり、中央にステムカバーの挿通孔１４ａを設けている。また、自由端１４′側を隆起させている。該押圧レバー１４は下方に揺動したときに前記ステムカバーのフランジ部１３ａを押し出し、ステム６を押し下げるものである。そしてこのステム６の押し下げにより内容物が噴射するものである。尚、該押圧レバー１４はステム６のバネ（図示せず。）による上昇作用によって常に押し上げられている。また、場合によってはバネ（図示せず。）を介在させて押し上げるようにしてもよい。
【００１６】
１５は前記ケース９に前後方向に挿通した回転軸である。また該回転軸１５はバネ１６をもって後記カム体が前記押圧レバー１４側に向けて回転するよう附勢している。
【００１７】
１７は前記回転軸１５の前記ケース９の前面に突出する端部に固着した操作レバーである。尚、本実施形態においては該操作レバー１７は先端側に回動阻止用ストッパー部１７ａを設けている。
【００１８】
１８は前記ケース９内において前記回転軸１５に固着したカム板であり、後記カム体を押圧するものである。１９は前記ケース９内において前記回転軸１５に回転自在且つ該回転軸１５の軸方向に摺動自在に取着したカム体であり、前記カム板１８が元の位置に戻るときに当たる突部１９ａを設けている。また、該カム体１９はバネ１９′をもって前記カム板１８側に向けて移動するよう附勢している。そして該カム体１９は前記カム板１８が元の位置に戻るときにこれに押されて同時に回転し、前記押圧レバー１４に当たってこれを押し下げるものである。
【００１９】
２０は後記扇形歯車及び減速歯車群からなる減速機構であって、歯車の噛み合いによる抵抗を介して前記回転軸１５の回転速度を遅くするものである。２１は前記ケース９内において前記回転軸１５に固着した扇形歯車である。２２、２３は同軸上に固着した大歯車と小歯車であり、小歯車２３を前記扇形歯車２１に噛合させる。
【００２０】
２４、２５は同軸上に固着した大歯車と小歯車であり、小歯車２５を前記大歯車２２に噛合させている。２６、２７は同軸上に固着した大歯車と小歯車であり、小歯車２７を前記大歯車２４に噛合させている。
【００２１】
２８は回動自在に軸支し、先端の二又部分で前記歯車２５を挟むようになしたガバナーである。また、該ガバナー２８は前記歯車２６と共働して音を発する役割をもつものである。即ち、前記歯車２６が回転してガバナー２８の二又部分に当たると、カチカチと連続する音を発するものである。尚、回転軸１５の戻り方向への回転中音を発する機構としては、これ以外にも例えば電気的にメロディーが流れるもの等、適宜のものを採用可能である。また、２９は前記ケース９に被せるカバーであり、操作レバー用切欠き２９ａとステムカバー用切欠き２９ｂを設けている。
【００２２】
次に、本実施形態の作用について説明する。
エアゾール容器１にセットした状態にあっては、回転軸１５はバネ１６の作用に抗して回転させており、そして図３に示す如くカム体１９はバネ２０の作用に抗して横にずらされ、ケース９の係止突起１２に係止されている。したがって、押圧レバー１４は自由に動く状態となっており、また、ステムカバー１３はエアゾール容器１のステム６によって押し上げられている。
【００２３】
そして、噴射操作を開始するときは操作レバー１７を回して回転軸１５を更に回転させる。これにより扇形歯車２１が小歯車２３と噛合する。このときカム体１９はバネ１９′により押されて係止突起１２から外れ、この状態において更に扇形歯車２１と同一方向に回転しようとするが、ステムカバー１３に当たってそれ以上の回転は阻止される。したがって、その位置でカム板１８の元の位置への戻りを待つことになる。
【００２４】
そして操作レバー１７から手を離すと回転軸１５はバネ１６の作用によって戻り方向に回転し、扇形歯車２１が小歯車２３から外れると急激に回転する。そしてカム板１８がカム体１９に当たって押し出し、更にカム体１９が押圧レバー１４に当たってこれを押し下げる。これにより該押圧レバー１４がステムカバー１３のフランジ部１３ａを押し下げ、ステム６から内容物が噴射されるものである。そしてこの噴射された内容物はステムカバー１３の噴射口１３ｃから噴射される。そしてまたこの状態はバネ１６の作用によって保持される。
【００２５】
而して、前記回転軸１５が戻り方向に回転するときは、扇形歯車２１及び減速歯車群２２乃至２７からなる減速機構２０によって回転速度を遅くされる。したがって、減速機構２０はタイマーとして作用する。そしてまた、回転軸１５の回転中歯車２６とガバナー２８によってこれらが接触する音が発せられる。
【００２６】
次に、本発明の第２実施形態について説明する。
図９は本発明の第２実施形態の正面図、図１０は中央縦断正面図、図１１は減速機構部分の斜視図、図１２はステムカバーの斜視図、図１３はステムカバーの中央縦断面図、図１４は押圧レバーの斜視図、図１５乃至図１７は使用方法の説明図である。
【００２７】
３０は遅延噴射装置であり、以下のキャップ状の外ケース外の部材からなるものである。３１は下端を前記エアゾール容器１の巻締部３に係合して固定するキャップ状の外ケース３１ａと、該外ケース内に設けた内ケース３１ｂとからなるケースである。また、該外ケース３１ａは正面部の上部側を窪ませて平坦な垂直面３１ａ′としている。また、外ケース３１ａの天板にはステムカバーの挿通孔３２を穿設すると共に、内ケース３１ｂの底板にはステム挿通孔３３を穿設している。
【００２８】
３４は基部外周にフランジ部３４ａを設け、中心部にステム嵌入口３４ｂとこれに連なる噴射口３４ｃを設けた筒状のステムカバーである。
【００２９】
３５は前記内ケース内のステム挿通孔３３の上側に配設し、垂直方向に揺動自在に軸支した押圧レバーであり、中央にステムカバーの挿通孔３５ａを設けている。また自由端３５′側を僅かに隆起させている。該押圧レバー３５は下方に揺動したときに前記ステムカバーのフランジ部３４ａを押し出し、ステム６を押し下げるものである。そしてこのステム６の押し下げにより内容物が噴射するものである。尚、該押圧レバー３５はステム６のバネ（図示せず。）による上昇作用によって常に押し上げられている。また、場合によってはバネ（図示せず。）を介在させて押し上げるようにしてもよい。
【００３０】
３６は噴射操作時に引き抜くストッパーバーであり、前記外ケース３１ａから摘み３６ａが突出するようにして引き抜き自在に設け、そして外ケース３１ａから突出する部分には後記操作レバーが嵌入するクランク部３６ｂを形成している。該ストッパーバー３６は後記ガバナーの揺動を阻止して、後記カム体による前記押圧レバー３５への加圧を抑止するためのものである。
【００３１】
３７は前記外ケース３１ａの前面部における前記押圧レバー３５と略同じ高さの位置に前後方向に挿通した回転軸である。また、該回転軸３７は渦巻バネ３８をもって後記カム体が前記押圧レバー３５側に向けて回転するよう附勢している。尚、本実施形態では渦巻バネを用いているが、その他のバネを用いて回転軸３７を回転させるようにしてもよい。
【００３２】
３９は前記回転軸３７の前記外ケース３１ａの前面部から突出する端部に固着した操作レバーである。４０は前記内ケース３１ｂ内において前記回転軸３７に固着したカム体であり、前記回転軸３７の回転に伴いそれが垂直方向に回動したときに前記押圧レバー３５に当たり、これを押し下げるものである。
【００３３】
４１は後記扇形歯車及び減速歯車群からなる減速機構であって、歯車の噛み合いによる抵抗を介して前記回転軸３７の回転速度を遅くするものである。４２は前記内ケース３１ｂ内において前記回転軸３７に固着した扇形歯車である。４３、４４は同軸上に固着した大歯車と小歯車であり、小歯車４４を前記扇形歯車４２に噛合させている。
【００３４】
４５、４６は同軸上に固着した大歯車と小歯車であり、小歯車４６を前記大歯車４３に噛合させている。４７、４８は同軸上に固着した大歯車と小歯車であり、小歯車４８を前記大歯車４５に噛合させている。
【００３５】
４９は回動自在に軸支し、先端の二又部分で前記歯車４７を挟むようになしたガバナーである。また、該ガバナー４９は回転軸３７の回転を規制する役割と、前記歯車４７と共働して音を発する役割をもつ。即ち、前記歯車４７が回転してガバナー４９の二又部分に当たると、カチカチと連続する音を発するものである。尚、回転軸３７の戻り方向への回転中音を発する機構としては、これ以外にも例えば電気的にメロディーが流れるもの等、適宜のものを採用可能である。
【００３６】
次に、本実施形態の作用について説明する。
図１５は噴射操作を開始する前の状態であり、エアゾール容器１のステム６を内ケース３１ｂの底板のステム嵌入孔３３に嵌入した状態である。
【００３７】
図１６は噴射操作を開始した状態であり、操作レバー３９を回して渦巻バネ３８の作用に抗して回転軸３７を回転させている状態である。また、このときにはストッパーバー３６を引き抜いてガバナー４９が自由に動くようにしている。そして、最後まで回転させると図１０に示す状態となり、その後図１７に示す如く操作レバー３９から手を離すと、回転軸３７は渦巻バネ３８の作用によって戻り方向に回転し、それに固着したカム体４０が押圧レバー３５に近づく。
【００３８】
しかし、このとき回転軸３７は扇形歯車４２及び減速歯車群４３乃至４８からなる減速機構４１によって回転速度を遅くされる。したがって、減速機構４１はタイマーとして作用する。そしてまた、回転軸３７の回転中歯車４７とガバナー４９によってこれらが接触する音が発せられる。
【００３９】
そして、回転軸３７が更に回転し、最後にカム体４０が押圧レバー３５に接触してこれを押し下げると、該押圧レバー３５がステムカバー３４のフランジ部３４ａを押し下げ、ステム６から内容物が噴射されるものである。そしてこの噴射された内容物はステムカバー３４の噴射口３４ｃから噴射される。そして、その状態は渦巻バネ３８の作用によって保持される。また、噴射操作を途中で中止する必要が生じた場合には、ストッパーバー３６を再び挿し込めばよい。
【００４０】
【発明の効果】
本発明は上記の如き構成、作用であり、エアゾールの噴射操作後、一定の時間が経過した後に内容物が噴射するようにして、確実に使用者が噴射した殺虫剤等を含む内容物を吸入あるいは曝露しない場所まで退避することができる充分な時間を得られるようになすことができ、より安全な噴射操作を行うことができるものである。
【００４１】
また、ストッパーバーによって減速機構の作動を停止させるようにすれば、噴射操作開始後にこれを中止させることができる。また、ストッパーバーの外ケースから突出する部分に、操作レバーが嵌入するクランク部を形成するようにすれば、操作レバーを回して噴射操作を開始しない限りストッパーバーが抜け出さないようにすることができる。
【００４２】
また、回転軸の戻り方向への回転中音を発するようにすれば、噴射操作が開始され、これが継続していることを使用者に知らせることができる。
【図面の簡単な説明】
【図１】本発明の第１実施形態のケース側壁を一部切欠して示した正面側から見た斜視図である。
【図２】図１に示した実施形態の背面側から見た斜視図である。
【図３】図１に示した実施形態の左側面図である。
【図４】ケースの裏蓋を開いた状態の背面側から見た斜視図である。
【図５】ケース側壁と押圧レバーを一部切欠して示した斜視図である。
【図６】ケース内部の拡大斜視図である。
【図７】本発明の第１実施形態の中央縦断正面図である。
【図８】カバーの斜視図である。
【図９】本発明の第２実施形態の正面図である。
【図１０】本発明の第２実施形態の中央縦断正面図である。
【図１１】減速機構部分の斜視図である。
【図１２】ステムカバーの斜視図である。
【図１３】ステムカバーの中央縦断面図である。
【図１４】押圧レバーの斜視図である。
【図１５】本発明の第２実施形態の使用方法の説明図であり、噴射操作開始前の状態を示すものである。
【図１６】噴射操作開始時の状態を示すものである。
【図１７】内容物が噴射した状態を示すものである。
【符号の説明】
１  エアゾール容器
６  ステム
８  遅延噴射装置
９  ケース
１０  ステム挿通孔
１１  カール部への係合部
１２  係止突起
１３  ステムカバー
１４  押圧レバー
１５  回転軸
１６  バネ
１７  操作レバー
１８  カム板
１９  カム体
１９′  バネ
２０  減速機構
２１  扇形歯車
２２、２３、２４、２５、２６、２７  歯車
２８  ガバナー
２９  カバー
３０  遅延噴射装置
３１  ケース
３１ａ  外ケース
３１ｂ  内ケース
３４  ステムカバー
３５  押圧レバー
３６  ストッパーバー
３７  回転軸
３８  渦巻バネ
３９  操作レバー
４０  カム体
４１  減速機構
４２  扇形歯車
４３、４４、４５、４６、４７、４８  歯車
４９  ガバナー
【図１】
0003845172.tif 000002
【図２】
0003845172.tif 000003
【図３】
0003845172.tif 000004
【図４】
0003845172.tif 000005
【図５】
0003845172.tif 000006
【図６】
0003845172.tif 000007
【図７】
0003845172.tif 000008
【図８】
0003845172.tif 000009
【図９】
0003845172.tif 000010
【図１０】
0003845172.tif 000011
【図１１】
0003845172.tif 000012
【図１２】
0003845172.tif 000013
【図１３】
0003845172.tif 000014
【図１４】
0003845172.tif 000015
【図１５】
0003845172.tif 000016
【図１６】
0003845172.tif 000017
【図１７】
0003845172.tif 000018